(57)【要約】【課題】座部の高さの変更を容易にしつつ、確実に座部の抜け出しを防止できる椅子を提供する。【解決手段】椅子は、使用者が着座する座部２と、背もたれ１と、一対の保持部材３と、を備えている。保持部材３は、座部２を、前後移動可能な状態で両側方から保持する座部保持溝３２を備えており、座部保持溝３２は、複数の高さ位置に備えられている。保持部材３は、背もたれ１を前後移動不能な状態で両側方から保持している。背もたれ１は、座部２の前後移動を規制する規制部１１を備え、座部２は、規制部１１に当接または係合する被規制部２１を備えている。【選択図】図２
2019216901.tif 000002
【特許請求の範囲】
【請求項１】
使用者が着座する座部と、背もたれと、一対の保持部材と、を備えた椅子であって、
前記保持部材は、前記座部を、前後移動可能な状態で両側方から保持する座部保持部を備え、
前記座部保持部は、複数の高さ位置に備えられ、
前記保持部材は、前記背もたれを前後移動不能な状態で両側方から保持し、
前記背もたれは、前記座部の前後移動を規制する規制部を備え、
前記座部は、前記規制部に当接または係合する被規制部を備えた椅子。
【請求項２】
前記保持部材は、前記背もたれを、上下移動可能な状態で両側方から保持する背もたれ保持部を備え、
前記規制部は、前記背もたれの下方に設けられた凸部であり、
前記被規制部は、前記座面の上面に設けられ、前記凸部が挿入される係合孔である請求項１記載の椅子。
【発明の詳細な説明】
【技術分野】
【０００１】
本発明は、椅子、特に、座部の高さ位置が調整可能な椅子に関する。
【背景技術】
【０００２】
椅子の座部の好ましい高さは椅子の使用者毎に異なっており、例えば、使用者の身長等によって変動する。しかしながら、一般的な椅子の座部は所定の高さに固定されているため、多くの使用者にとって最適な高さとはなっていない。また、幼児用の椅子の場合には、座部の高さが異なる椅子が販売されているが、幼児は身長の伸びが早いため、座部の高さが、ある時期に適していても、すぐに好ましいものではなくなる。
【０００３】
このような課題を解決するため、座部の高さを変更可能に構成した椅子が提案されている（例えば、特許文献１〜６）。これらの椅子では、左右一対の支持部材と、支持部材の間に保持される座部と背もたれと、を備えており、支持部材に、座部を支持するための溝を、上下方向に所定の間隔をあけて、複数形成している。これらの椅子では、所望の高さの溝に座部を支持させることにより、座部の高さを変更することができる。
【０００４】
しかしながら、これらの椅子では座部を溝に差し込むという簡易な構成のため、不用意に座部が抜ける可能性がある。このような問題を解決するために、座部の幅を前後方向で異ならせる（特許文献１）、溝に凹部を形成するとともに座部にストッパ部材を設ける（特許文献２，４）、座部の側方後端付近を支持部材にネジ止めする（特許文献３）、固定手段を設ける（特許文献５）、等の構成が提案されている。
【先行技術文献】
【特許文献】
【０００５】
【特許文献１】特開平８−０１９４４５号公報
【特許文献２】特開２００４−１９５０２２号公報
【特許文献３】特開２００４−３３７４０９号公報
【特許文献４】特開２０１２−０７５７１２号公報
【特許文献５】実用新案登録第３０５２５８０号公報
【特許文献６】実用新案登録第３０９８５４０号公報
【発明の概要】
【発明が解決しようとする課題】
【０００６】
しかしながら、特許文献３の構成では、強固に座部を固定できるが、座部の高さを変更するためには、ネジを外し、再度ネジ止めする必要があるため、手間がかかる。一方、特許文献１，２，４の方法では、ストッパを解除するだけで座部の抜け止めを解除することができるが、不用意にストッパが解除されるおそれがあり、その場合には座部が抜ける可能性がある。
【０００７】
本発明は上記課題に鑑みてなされたものであり、その目的は、座部の高さの変更を容易にしつつ、確実に座部の抜け出しを防止できる椅子を提供することにある。
【課題を解決するための手段】
【０００８】
上記課題を解決するための、使用者が着座する座部と、背もたれと、一対の保持部材と、を備えた椅子の好適な実施形態の一つでは、前記保持部材は、前記座部を、前後移動可能な状態で両側方から保持する座部保持部を備え、前記座部保持部は、複数の高さ位置に備えられ、前記保持部材は、前記背もたれを前後移動不能な状態で両側方から保持し、前記背もたれは、前記座部の前後移動を規制する規制部を備え、前記座部は、前記規制部に当接または係合する被規制部を備えている。
【０００９】
この構成では、前後移動不能な状態で保持されている背もたれの規制部に対して、座部の被規制部が当接または係止されているため、座部の前後移動を確実に規制することができる。これにより、不用意に座部が抜け出すことを防止することができる。また、規制部と被規制部との当接または係止を解除すれば座部を抜去することができるため、容易に座部の高さを変更することができる。
【００１０】
規制部と被規制部とは様々な構成とすることができるが、本発明に係る椅子の好適な実施形態の一つでは、前記保持部材は、前記背もたれを、上下移動可能な状態で両側方から保持する背もたれ保持部を備え、前記規制部は、前記背もたれの下方に設けられた凸部であり、前記被規制部は、前記座面の上面に設けられ、前記凸部が挿入される係合孔である。
【００１１】
この構成では、簡易な構成でありながら、確実に座部の前後移動を規制するとともに、容易に規制を解除することができる。
【図面の簡単な説明】
【００１２】
【図１】椅子の斜視図である。
【図２】椅子の座部を固定する際の動作を示す図である。
【発明を実施するための形態】
【００１３】
以下に図面を用いて、本発明に係る椅子の実施形態を説明する。図１は本実施形態における椅子Ｃの斜視図であり、図２は本実施形態における椅子Ｃの座部を固定する際の動作を示す斜視図である。
【００１４】
本実施形態における椅子Ｃは、背もたれ１と、座部２と、一対のサイドフレーム３（本発明における保持部材の例）を備えている。背もたれ１は、略板状に形成されており、上方が若干後傾するように配置されている。座部２は、略板状に形成されており、略水平に配置されている。
【００１５】
各々のサイドフレーム３は、前フレーム３ａ，後フレーム３ｂ，下フレーム３ｃおよび上フレーム３ｄから構成されており、略枠状に形成されている。左右のサイドフレーム３は、対称となるよう対向配置されている。左右のサイドフレーム３の間には、これらを固定するための接続部材４が設けられている。各々の接続部材４の端部とサイドフレーム３とは、ネジ止め等により固定されており、これにより、左右のサイドフレーム３どうしが固定されている。
【００１６】
また、前フレーム３ａと後フレーム３ｂとには、下フレーム３ｃと平行に座部保持溝３２（本発明における座部保持部の例）が形成されている。具体的には、前フレーム３ａには、複数の座部保持溝３２が、異なる高さ位置に形成されている。また、後フレーム３ｂにも、前フレーム３ａの座部保持溝３２と同じ高さ位置に、複数の座部保持溝３２が形成されている。
【００１７】
左右のサイドフレーム３に形成された、対向する座部保持溝３２間の距離は、座部２の幅と略同一となっている。そのため、座部保持溝３２に沿って座部２を略水平にスライド挿入すると、座部２の側端部付近の下面が、座部保持溝３２の下面によって支持される。これにより、座部２は左右のサイドフレーム３の間に保持される。このような構成により、座部２を左右のサイドフレーム３の間に挿入、または、間から抜去することができる。なお、本実施形態では、座部２は前方および後方のいずれにもスライド可能である。
【００１８】
また、上述したように、サイドフレーム３には異なる高さ位置に、複数の座部保持溝３２が形成されているため、座部２を挿入する座部保持溝３２を変更することにより、座部２の高さを変更することができる。
【００１９】
一方、上フレーム３ｄには、背もたれ保持溝３１（本発明における背もたれ保持部の例）が、上方が後傾する縦溝として形成されている。本実施形態では、背もたれ保持溝３１は、異なる前後位置に複数形成されている。
【００２０】
左右のサイドフレーム３に形成された、対向する背もたれ保持溝３１間の距離は、背もたれ１の幅と略同一となっている。このような構成により、背もたれ保持溝３１に沿って、上下方向に背もたれ１をスライドさせることにより、背もたれを１左右のサイドフレーム３の間に挿入、または、間から抜去することができる。なお、本実施形態では、背もたれ１は下方および上方のいずれにもスライド可能である。また、背もたれ１を挿入する背もたれ保持溝３１を変更することにより、背もたれ１の前後位置を変更することができる。
【００２１】
図２に示すように、背もたれ１の下端部には下方に突出する凸部１１（本発明における規制部の例）が形成されている。凸部１１は、本実施形態では横長平板状に形成されているが、棒状等他の形状に形成しても構わない。一方、座部２の上面には、凸部１１に対応する形状の孔２１（本発明における被規制部，係合孔の例）が形成されている。なお、本発明における係合孔は、貫通孔と凹部（穴）とを含むものであり、本実施形態では、孔２１は貫通孔として形成しているが、当然ながら凸部１１に対応する形状の凹部として形成しても構わない。また、本実施形態では、１つの孔２１を設けているが、前後方向に複数の孔２１を設けても構わない。この場合には、凸部１１を挿入する孔２１を変更することにより、座部２の前後位置を変更することができる。
【００２２】
図２を用いて、椅子Ｃの座部２を固定する際の動作を説明する。先ず、図２（ａ）に示すように、左右のサイドフレーム３を接続部材４で接続した状態で、所望の高さ位置に形成された座部保持溝３２に沿って座部２を前方から後方に向かってスライド挿入する（図３（ｂ））。次に、所望の前後位置に形成された背もたれ保持溝３１に沿って背もたれ１をスライド挿入する（図３（ｃ））。このとき、座部２の前後位置を調整し、背もたれ１の凸部１１を座部２の孔２１に挿入する。なお、孔２１の横幅は凸部１１の幅に適合しているため、背もたれ１の両側端付近の下面が座部２の上面に当接する。これにより、背もたれ１の下方への移動が規制される。
【００２３】
このように、本実施形態における椅子Ｃでは、座部２に形成された孔２１に対して、前後移動が規制された背もたれ１の凸部１１が挿入されるため、座部２の前後移動が規制される。これにより、座部２が確実に固定され、不用意にスライド移動することがない。一方、座部２を抜去する際には、背もたれ１を少し上方にスライドさせ、凸部１１を孔２１から抜き出せば、座部２をスライド移動させることができる。また、上述したように、本実施形態では、複数の前後位置に背もたれ保持溝３１が形成されているため、背もたれ１を挿入する背もたれ保持溝３１を変更することにより背もたれ１の前後位置を変更することができ、それに伴い、座部２の奥行き（前後方向位置）を変更することができる。
【００２４】
〔別実施形態〕
（１）上述の実施形態では、座部保持部や背もたれ保持部を溝として構成したが、例えば、レールとして構成することができる。この場合には、座部２の側方にこのレールに沿って摺動するレールやコロ等を設ければよい。また、この場合、レールの後端付近を揺動中心として揺動可能に構成すれば、座部２を斜め方向に挿入可能とすることができる。この場合には、レールを水平状態で保持する構成が必要となる。当然ながら、座部保持部や背もたれ保持部は他の構成とすることもできる。
【００２５】
（２）上述の実施形態では、サイドフレーム３の異なる前後位置に、複数の背もたれ保持溝３１を形成したが、一対の背もたれ保持溝３１のみを形成した構成としても構わない。
【００２６】
（３）上述の実施形態では、保持部材を枠状のサイドフレーム３として構成したが、板状等の他の形状であっても構わない。また、サイドフレーム３が脚部をも構成したが、保持部材と脚部とを別体として構成しても構わない。
【００２７】
（４）凸部１１が孔２１に挿通された状態の背もたれ１の上方への移動を確実に規制するために、孔２１に挿通された凸部１１に対して、前後方向に楔等打つ構成とすることもできる。また、凸部１１の先端部に背もたれ１略直交する方向に回動可能な部材（以下、回動部材と称する）を設けることも可能である。この場合、回動部材は回動することにより、孔２１を挿通可能な姿勢と挿通不能な姿勢とに変更可能となる形状に構成すればよい。
【００２８】
（５）上述の実施形態では、背もたれ１に形成された凸部１１と座部２に形成された孔２１とにより、座部２の前後方向への移動を規制したが、座部２の移動を規制するための構成はこれに限定されるものではない。例えば、背もたれ１と座部２との一方に棒状部材を設け、他方に棒状部材に引っ掛かるフックを設けることができる。この場合、棒状部材とフックとが規制部と被規制部となる。当然ながら、規制部と被規制部とは他の構成とすることもできる。
【産業上の利用可能性】
【００２９】
本発明は、座部の高さを変更可能な椅子に利用することができる。
【符号の説明】
【００３０】
Ｃ：椅子
１：背もたれ
１１：凸部（規制部）
２：座部
２１：孔（被規制部、係合孔）
３：サイドフレーム（保持部材）
３１：背もたれ保持溝（背もたれ保持部）
３２：座部保持溝（座部保持部）
【図１】
2019216901.tif 000003
【図２】
2019216901.tif 000004
【手続補正書】
【提出日】令和1年7月6日(2019.7.6)
【手続補正１】
【補正対象書類名】特許請求の範囲
【補正対象項目名】全文
【補正方法】変更
【補正の内容】
【特許請求の範囲】
【請求項１】
使用者が着座する座部と、背もたれと、一対の保持部材と、を備えた椅子であって、
前記保持部材は、前記座部を、略水平かつ前後移動可能な状態で両側方から保持する座部保持部を備え、
前記座部保持部は、複数の高さ位置に備えられ、
前記保持部材は、前記背もたれを前後移動不能な状態で両側方から保持し、
前記保持部材は、前記背もたれを、上下移動可能な状態で両側方から保持する背もたれ保持部を備え、
前記背もたれは、前記座部の前後移動を規制する規制部を備え、
前記座部は、前記規制部に当接または係合する被規制部を備え、
前記規制部は、前記背もたれの下方に設けられた凸部であり、
前記被規制部は、前記座面の上面に設けられ、前記凸部が挿入される係合孔である椅子。
【手続補正２】
【補正対象書類名】明細書
【補正対象項目名】０００８
【補正方法】変更
【補正の内容】
【０００８】
上記課題を解決するための、使用者が着座する座部と、背もたれと、一対の保持部材と、を備えた椅子の好適な実施形態の一つでは、前記保持部材は、前記座部を、略水平かつ前後移動可能な状態で両側方から保持する座部保持部を備え、前記座部保持部は、複数の高さ位置に備えられ、前記保持部材は、前記背もたれを前後移動不能な状態で両側方から保持し、前記保持部材は、前記背もたれを、上下移動可能な状態で両側方から保持する背もたれ保持部を備え、前記背もたれは、前記座部の前後移動を規制する規制部を備え、前記座部は、前記規制部に当接または係合する被規制部を備え、前記規制部は、前記背もたれの下方に設けられた凸部であり、前記被規制部は、前記座面の上面に設けられ、前記凸部が挿入される係合孔である。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
また、この構成では、簡易な構成でありながら、確実に座部の前後移動を規制するとともに、容易に規制を解除することができる。